(57)【要約】【課題】局所換気として加熱調理で発生する油煙や廃ガスを円滑に捕集することと室内の酸素濃度を２０．５％以上に保つこと。また気密性の高い住宅で排気が容易なレンジフードを提供することである。【解決手段】送風ファンによる送風気流にエジェクター効果を活用して給気ダクトから外気を吸引し、レンジフードの前側端部下側部位に設けた吹出口から吹出したエアーカーテン状の気流を排気ファン側へ導く。これを誘引気流として加熱調理で発生する油煙や廃ガスを誘引捕集する。窓を開けてレンジフードを使用する場合は送風ファンを稼働させ、窓を閉じた気密性の高い室内環境下の場合は、送風ファンを停止し、排気ファンを稼働させることで外気が給気ダクトを通じて供給され自然給気が誘引気流となる。誘引気流に外気が含まれることで酸素濃度が維持される。【選択図】図５
2007132597.tif 000002
【特許請求の範囲】
【請求項１】
送風ファンと排気ファンを備えたレンジフードであって、送風ファンの送風経路に外気に通じる給気ダクトを側設し、送風により前記給気ダクトから外気を誘引した誘引気流を、前記フードの前側端部下側部位に設けた吹出口からエアーカーテン状の気流に成して前記フードの後側部位に配置した排気ファン側へ向けて吹き付け、加熱調理で発生する油煙および廃ガスを前記エアーカーテン状の気流に誘引しながら排気ファンに吸引させて排気することを特徴とする同時給排気型レンジフード。
【請求項２】
前記誘引気流を導くチャンバーの出口部分に案内板を設けて前記誘引気流を前記フードの前側端部内面の上方に誘導し、該内面に沿って誘引気流が吹出口から吹き出すように成した請求項１に記載の同時給排気型レンジフード。
【請求項３】
前記送風ファンの送風経路に給気ボックスを配設して、該給気ボックスの一部面に給気用ダクトを接続し、前記送風経路と給気ダクトの開口部の間の一部分を分離して給気を助勢する仕切板を設けた請求項１又は２に記載の同時給排気型レンジフード。
【請求項４】
運転停止時に給気ダクトからの外風侵入を防止する電動シャッターを設けた請求項１〜３のいずれか１項に記載の同時給排気型レンジフード。
【請求項５】
送風ファンの回転速度を調整する速調器を備えた請求項１〜４のいずれか１項に記載の同時給排気型レンジフード。
【請求項６】
前記案内板の前記チャンバーに対する傾斜角度を調整し、前記誘引気流の風向を調整することを特徴とする請求項１〜５のいずれか１項に記載の同時給排気型レンジフード。
【発明の詳細な説明】
【技術分野】
【０００１】
本発明は、加熱調理で発生する油煙や廃ガス等を効率良く室外に排出するためのレンジ上方に設けられる同時給排気型レンジフードに関する。
【背景技術】
【０００２】
上市されている同時給排気型のレンジフードは、大別すると自然給気型と強制給気型に分けられ、いずれも排気運転に連動して給気されるものである。主な用途はマンションのような高気密住宅である。自然給気型は、気密化された環境で排気運転すれば、排気量とほぼ等しい給気量が自然に室内に入ってくるもので、給気のための消費電力が生じない経済的な利点がある。然しながら、室内の窓を開けてレンジフードを運転すると、レンジフードの横側から給気流が浸入し、加熱調理で発生する油煙や廃ガスをスムーズにレンジフードで捕集しきれない不具合が起こり易い。強制給気型は、排気ファン以外に給気ファンを設けたもので、排気量にほぼ等しい給気量を機械的に供給するものである。従って、消費電力が約２倍掛かってしまう不具合がある。
【０００３】
レンジフードの目的は、局所換気であり、（財）日本建築設備・昇降機センター編集
の「換気・空調設備技術基準」に記載されているとおり、「火を使用する設備又は器具の通常の使用状態において、異常な燃焼が生じないように当該居室内の酸素の含有率をおおむね２０．５％以上に保つ換気ができるものとして、国土交通省大臣の認可を受けたものとすること。」であるので、同時給排気型の技術は酸素濃度を２０．５％以上に保つことでは妥当な方法であると云える。その一方、局所換気として加熱調理で発生する油煙や廃ガスをいかにスムーズに捕集できるかが、ユーザーが求める機能であることは周知の通りである。油煙や廃ガスをスムーズに捕集する手段として、レンジフードの構成に於いて、排気ファンの他に送風ファンを設置し、油煙や廃ガスを誘引する先行技術は、当出願人が出願したレンジフードが挙げられるが、送風ファンの誘引気流だけでは、油煙や廃ガスの捕集を助長するような効果があるが、給気を助長するものではなかった。
【特許文献１】特開２００４−３００９６０号公報
【発明の開示】
【発明が解決しようとする課題】
【０００４】
解決しようとする課題は、局所換気として加熱調理で発生する油煙や廃ガスを円滑にに捕集し、室内の酸素濃度を２０．５％以上に保つことを実現することである。
【課題を解決するための手段】
【０００５】
加熱調理で発生する油煙や廃ガスを円滑に捕集することと、室内の酸素濃度を２０．５％以上に保つことの双方を同時に行うために、誘引気流の発生源である送風ファンの気流で自然給気用ダクトから外気をエジェクター効果により吸引し、自然給気用ダクトに半強制給気装置に相当する気流発生の効果を与え、送風ファンによる気流と給気用ダクトから吸引される外気を含む誘引気流を生成する。この誘引気流をフードの前側端部下側部位に設けた吹出口からエアーカーテン状に排気ファン側へ流すことで、レンジから上昇する油煙や廃ガスを円滑に捕集すると共に新鮮な外気が取り入れられることにより室内酸素濃度を確保する。
【０００６】
フードの前側端部下側部位に設けた吹出口からエアーカーテン状の誘引気流をフードの後側部位に配置した排気ファン側へ向けて吹き付けるために、送風ファンがフードの天井面の後側部位に配置されているので、フードの前側から排気ファン側へ誘引気流を吹き付けるためには、風向きをＵターンさせる工夫が必要となることである。フードの天井面の後側部位に配置した送風ファンによる誘引気流は、フードの内部に設けられたチャンバーに入り、チャンバーの出口部分に、平板または円弧状の案内板を傾斜させて設け、チャンバー内の気流を案内板の内側に当てることで気流はフード前側端部内面の上側に誘導される。誘導された気流は、フード前側端部の内面に沿うことで気流がＵターンし、フードの吹出口から排気ファン側へ誘引気流を吹出す。誘引気流の吹出し角度は、チャンバーの出口部分に設けた案内板の外側に誘引気流が当たることで風向角度を維持することができる。
【０００７】
誘引気流の発生源は送風ファンであるが、送風ファンの気流が給気ダクトから逆噴出させない工夫が必要になる。給気ダクトからの給気をエジェクター効果により吸引するために、送風ファンの送風経路に一例として六面体の筐体で構成した給気ボックスを設け、その天面に給気ダクトを接続し、後側面に外部配置した送風ファンの吹出口を接続して、前側面には送風ファンのエアー吹出口を設ける。送風ファンの吹出し気流が給気ボックスを通過する際に給気ダクトに対して円滑なエジェクター効果が発揮できるように筐体内部に給気ダクトの開口部と送風経路を分離する仕切板を設けることで外気の吸引を可能にしている。
【０００８】
給気ダクトをレンジフードに設けた場合、運転停止時に外風等が給気ダクトを経て室内に侵入し、暖冷房等のエネルギー損失が心配される。排気ダクト側に風圧シャッターを内蔵すれば外風対策になるが、給気ダクト側に風圧シャッターを設けても外風対策としては不十分である。本発明では運転停止時に給気ダクトから外風が室内に侵入しないように電動シャッターを設けた。給気ダクト側に電動シャッターを設けたことで、レンジフードの運転時に電動シャッターが開き、停止時に電動シャッターが閉じる構造とすることで給気ダクト側の外風対策を行っている。
【０００９】
加熱調理の内容や使用環境よって、誘引気流が任意に調整できれば、より円滑な捕集効果が期待できるので誘引気流の発生源である送風ファンの回転速度を調整可能な構造とした。
【００１０】
さらなる省エネを追求する手段として、給気ダクトから自然の給気流が十分に確保できる気密性の高い室内環境で運転する場合に、送風ファンの回転駆動にＤＣモータを使用し可変抵抗など簡易な方法で運転が任意または自動的に停止する構成を取り入れている。気密性が高い住宅の場合には送風ファンを停止しても、電動シャッターを開放すれば外気を取り込むことができる。
【００１１】
適切な誘引気流の吹出し角度は、加熱調理器とレンジフードの距離によって多少前後するので、案内板の角度を調整することにより適切な誘引気流が提供できるように、誘引気流の風向きを調整可能にしている。
【発明の効果】
【００１２】
同時給排気型であっても、自然給気型よりも強制給気型が望まれる背景は、経済性よりも快適性が選ばれた妥協の結果だと思われる。然しながら、省エネと経済性はユーザーが望む本質であり、ユーザーの本質に応えることが製品を提供するメーカーの使命である。本発明によれば、マンション等の気密性の高い住宅で同時給排気型を要求される場合はもちろん適用可能であり、一般の戸建住宅にも適用できる。
【発明を実施するための最良の形態】
【００１３】
本発明の同時給排気型レンジフードの最良の形態は、誘引気流の発生源である送風ファンは省エネと速度調整が容易となるようにＤＣモータと直径６０ｍｍのクロスファンを使用する。レンジフードの構成は、フード本体とフィルター本体に分割し、フード本体の後側部位の側にフィルター本体を配置し、フイルター本体の内部に排気ファン（シロッコファン）を納める。給気ダクトと排気ダクトはフード本体の天面に配置する。誘引気流はフード本体の前側端部下側部位から吹出し、フィルター本体に吸込まれることで加熱調理で発生する油煙や廃ガスをスムーズに捕集することを実現させた。
【実施例１】
【００１４】
図１は、本発明の実施例を示す同時給排気型レンジフード１の全体を示す上方からの斜視図である。レンジフードの基本となる筐体構造の本体は、フード本体２とフィルター本体３で構成されている。次ぎに述べる図１で記載のない各符号と名称は図３および図５を参照されたい。フード本体２の天井面の後側部位に、給気ダクト４と排気ダクト１０が配置され、排気ダクト１０とフード本体２の間にスペーサの役目を果たす排気ボックス１１を設けている。給気ダクト４の下にダクトを接続する六面体の給気ボックス６を設けその内部に電動シャッター５が設置されている。給気ボックス６の後部面に送風ファン７と、それを駆動するＤＣモータ８を設けており該モータは後述する送風用調速器１５で制御可能に結線されている。同様にフード本体２の前側端部にはレンジフードを排気運転するための排気運転スイッチ１２と排気ファン２０の速度調整用の排気用速調器１３、送風ファン７を運転するための送風運転スイッチ１４と送風ファン７の速度調整用の送風用速調器１５を設けている。電動シャッター５は、排気運転スイッチ１２に連動して開閉する。２７はダクトを接続する継手スリーブである。
【００１５】
図２は、本発明の送風ファンを示す一部を透視した斜視図である。送風機はクロスファン形式の送風ファン７であり、ファンケーシング９とＤＣモータ８によって構成されている。送風ファン７の吹出しエアーは送風経路を構成する給気ボックス６の前側面の開口部から吹出される。給気ボックス６の中には、エジェクター効果の役目を果たす仕切板１７を設けており、仕切板の下方側を送風ファンの送風経路とし上方側に給気ダクトの開口部が位置するように空間の一部を分離している。給気ボックスを通過した吹出しエアーはチャンバー２３に導かれフードの幅全体に広がりエアー吹出口１９からエアーカーテン状に流出する。
【００１６】
図３は、本発明のレンジフード全体を示す下方からの斜視図である。フード本体２の前側端部下側部位にエアー吹出口１９とチャンバー２３の下部を構成するチャンバー板１８を設け、フィルター本体３の前側部位にフィルター１６を設けている。
【００１７】
図４は、本発明の排気ファンを示す一部を透視した斜視図である。フィルター本体３の内部にシロッコファン形式の排気ファン２０、スピンナー２１、スクロール２２、ＤＣモータ２６を設け、排気ファン２０の運転により、フィルター本体３の内部を陰気圧としフィルター１６の全面で吸気が行えるようになっている。ＤＣモータ２６はフード前側端部に設けた排気運転スイッチ１２の投入で始動し排気用速調器１３で回転数が制御されるように結線されている。
【００１８】
図５は、本発明の構造を示す説明図である。フィルター１６の内側となるフィルター本体２の内部は、排気ファン２０の運転により、陰気圧となる。フード本体２に設けた送風ファン７の運転により、仕切板１７の下部から給気ボックス６を経てチャンバー２３に送風エアーが吹き込まれる。吹き込まれた送風エアーは案内板２４に誘導され、フード前側端部２５の内面に沿って該端部下側部位に設けたエアー吹出口１９から陰気圧となっているフィルター本体（排気ファン側）へ吹き出される。これが誘引気流となって、加熱調理で発生する油煙や廃ガスをスムーズに捕集できる効果を果たしている。電動シャッター５は排気ファン２０の運転および停止に連動してシャッターが開閉し、室内の窓が閉じられた高気密状態であれば、排気ファンで排出した量とほぼ同量の外気が、給気ダクト４からフード本体２のチャンバー２３を経て、エアー吹出口１９から吹き出すようになり、給気と誘引気流の効果を果たすことができる。
【００１９】
本発明は、強制給気装置と異なり、自然給気方式であることから、室内の窓を開放すると、給気は、面積が広く抵抗の少ない方から浸入するので、エアー吹出口１９から誘引気流が吹き出さないことが考えられる。その場合は、送風運転スイッチ１４を投入すれば、送風ファン７が運転開始し、エアー吹出口１９から誘引気流を発生する。また、送風ファン７と仕切板１７の作用により、給気ダクト４からもエジェクター効果にて給気される。送風ファン７の吸気側から吸い込まれるエアーは、レンジフードで捕集しきれなかった廃ガスが天井に澱んだ場合であっても、誘引エアーとなって、レンジフードに回収される役割を果たすことができる。さらに本発明の波及効果として、室内の窓を少し開放した場合に発生する吹込音も解消され、エアー吹出口１９から発生する誘引気流は、チャンバー板１８の結露予防としても効果が期待できる。
【産業上の利用可能性】
【００２０】
以上説明したように、気密性の高い住宅が益々増え続ける社会的情勢に於いて、排気型レンジフードから同時給排気型レンジフードに変ってゆくことが予想される。本発明は、省エネ（経済性）と快適性を追求した結果、自然給気型による同時給排気型レンジフードの不具合点を解消するだけではなく、自然給気型の利点を残しながら、新たな機能である誘引気流との共同作業を行うものであり、新たな同時給排気型レンジフードとして普及されることが期待される。ＩＨレンジが益々普及される昨今を考えると、従来式のレンジフードのような、単純にフードと排気の組合せからなり、ガスレンジから発生する上昇気流を捕らえるだけのものから、レンジフード自ら気流を発生して油煙や廃ガスを捕らえる機能を有するレンジフードへと進化することが望ましく局所排気用途に好適である。
【図面の簡単な説明】
【００２１】
【図１】本発明のレンジフード全体を示す上方からの斜視図である。（実施例１）
【図２】送風ファンを示す斜視図である。（実施例１）
【図３】本発明のレンジフード全体を示す下方からの斜視図である。（実施例１）
【図４】排気ファンを示す斜視図である。（実施例１）
【図５】本発明のレンジフードの構造を示す説明図である。（実施例１）
【符号の説明】
【００２２】
１  レンジフード
２  フード本体
３  フィルター本体
４  給気ダクト
５  電動シャッター
６  給気ボックス
７  送風ファン
８  ＤＣモータ
９  ファンケーシング
１０  排気ダクト
１１  排気ボックス
１２  排気運転スイッチ
１３  排気用速調器
１４  送風運転スイッチ
１５  送風用速調器
１６  フィルター
１７  仕切板
１８  チャンバー板
１９  エアー吹出口
２０  排気ファン
２１  スピンナー
２２  スクロール
２３  チャンバー
２４  案内板
２５  フード前側
２６  ＤＣモータ
【図１】
2007132597.tif 000003
【図２】
2007132597.tif 000004
【図３】
2007132597.tif 000005
【図４】
2007132597.tif 000006
【図５】
2007132597.tif 000007